【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって受信されたダウンリンク通信に関するフィードバックを提供する方法であって、
１つまたは複数のチャネル上でネットワークエンティティからの信号に関してモニタリングすることと、
前記モニタリングに基づいて、前記１つまたは複数のチャネル上で１つまたは複数のグラントが受信されるかどうかおよびＵＥデータが受信されるかどうかを決定することと、ここにおいて、前記決定することは、
前記ＵＥが前記ネットワークエンティティから第１段階アップリンクグラントを受信したかどうかを決定することと、
前記ＵＥが前記ネットワークエンティティから第１段階ダウンリンクグラントを受信したかどうかに基づいて第１の状態を決定することと、
前記ＵＥが前記ネットワークエンティティから第２段階ダウンリンクグラントを受信したかどうかに基づいて第２の状態を決定することと、
前記ＵＥが前記ＵＥデータを受信したかどうかおよび前記ＵＥデータが前記ＵＥによって成功裏に復号されるかどうかに基づいて第３の状態を決定することと、
を備え、
フィードバックルールによりおよび前記１つまたは複数のグラントおよび前記ＵＥデータが受信されるかどうかに基づいて決定されたフィードバック値を有するフィードバック指示を生成することと、
前記フィードバックルールによりおよび前記１つまたは複数のグラントおよび前記ＵＥデータが受信されるかどうかに基づいて決定されたリソースで前記ネットワークエンティティに前記フィードバック指示を送信することと、
を備える、方法。
【請求項２】
前記ＵＥが前記ネットワークエンティティから前記第１段階アップリンクグラントを受信しなかったという決定、および、ここにおいて、前記フィードバック指示は、不連続的送信（ＤＴＸ）信号を含む、は、
前記第１の状態が、前記第１段階ダウンリンクグラントが受信されなかったことを示し、および、
前記第２の状態が、前記第２段階ダウンリンクグラントが受信されなかったことを示す、
に対応する、請求項１に記載の方法。
【請求項３】
前記ＵＥが前記ネットワークエンティティから前記第１段階アップリンクグラントを受信しなかったという決定、および、ここにおいて、前記フィードバック指示は、前記第２段階ダウンリンクグラントによって許可されたリソースを通じての送信に関する肯定応答（ＡＣＫ）メッセージを含む、は、
前記第１の状態が、前記第１段階ダウンリンクグラントが受信されなかったことを示し、
前記第２の状態が、前記第２段階ダウンリンクグラントが受信されたことを示し、および、
前記第３の状態が、ダウンリンクデータが成功裏に復号されたことを示す、
に対応する、請求項１に記載の方法。
【請求項４】
前記ＵＥが前記ネットワークエンティティから前記第１段階アップリンクグラントを受信しなかったという決定、および、ここにおいて、前記フィードバック指示は、不連続的送信（ＤＴＸ）信号を含む、は、
前記第１の状態が、前記第１段階ダウンリンクグラントが受信されなかったことを示し、
前記第２の状態が、前記第２段階ダウンリンクグラントが受信されたことを示し、および、
前記第３の状態が、ダウンリンクデータが成功裏に復号されなかったことを示す、
に対応する、請求項１に記載の方法。
【請求項５】
前記ＵＥが前記ネットワークエンティティから前記第１段階アップリンクグラントを受信しなかったという決定、および、ここにおいて、前記フィードバック指示は、前記第１段階ダウンリンクグラントによって許可されたリソースを通じての送信に関する否定応答（ＮＡＣＫ）メッセージを含む、は、
前記第１の状態が、前記第１段階ダウンリンクグラントが受信されたことを示し、
前記第２の状態が、前記第２段階ダウンリンクグラントが受信されなかったことを示し、および、
前記第３の状態が、ダウンリンクデータが受信されなかったことを示す、
に対応する、請求項１に記載の方法。
【請求項６】
前記ＵＥが前記ネットワークエンティティから前記第１段階アップリンクグラントを受信しなかったという決定、および、ここにおいて、前記フィードバック指示は、前記第２段階ダウンリンクグラントによって許可されたリソースを通じての送信に関する肯定応答（ＡＣＫ）メッセージを含む、は、
前記第１の状態が、前記第１段階ダウンリンクグラントが受信されたことを示し、
前記第２の状態が、前記第２段階ダウンリンクグラントが受信されたことを示し、および、
前記第３の状態が、ダウンリンクデータが成功裏に復号されたことを示す、
に対応する、請求項１に記載の方法。
【請求項７】
前記ＵＥが前記ネットワークエンティティから前記第１段階アップリンクグラントを受信しなかったという決定、および、ここにおいて、前記フィードバック指示は、前記第１段階ダウンリンクグラントによって許可されたリソースを通じての送信に関する否定応答（ＮＡＣＫ）メッセージを含む、は、
前記第１の状態が、前記第１段階ダウンリンクグラントが受信されたことを示し、
前記第２の状態が、前記第２段階ダウンリンクグラントが受信されたことを示し、および、
前記第３の状態が、ダウンリンクデータが成功裏に復号されなかったことを示す、
に対応する、請求項１に記載の方法。
【請求項８】
前記ＵＥが前記第１段階アップリンクグラントを受信したという決定、および、ここにおいて、前記フィードバック指示は、前記第１段階アップリンクグラントによって許可されたリソースを通じての送信に関するＮＡＣＫメッセージを含む、は、
前記第１の状態が、前記第１段階ダウンリンクグラントが受信されなかったことを示し、および、
前記第２の状態が、前記第２段階ダウンリンクグラントが受信されなかったことを示す、
に対応する、請求項１に記載の方法。
【請求項９】
前記ＵＥが前記第１段階アップリンクグラントを受信したという決定、および、ここにおいて、前記フィードバック指示は、前記第１段階アップリンクグラントによって許可されたリソースを通じての送信に関するＡＣＫメッセージを含む、は、
前記第１の状態が、前記第１段階ダウンリンクグラントが受信されなかったことを示し、
前記第２の状態が、前記第２段階ダウンリンクグラントが受信されたことを示し、および、
前記第３の状態が、ダウンリンクデータが成功裏に復号されたことを示す、
に対応する、請求項１に記載の方法。
【請求項１０】
前記ＵＥが前記第１段階アップリンクグラントを受信したという決定、および、ここにおいて、前記フィードバック指示は、前記第１段階アップリンクグラントによって許可されたリソースを通じての送信に関するＮＡＣＫメッセージを含む、は、
前記第１の状態が、前記第１段階ダウンリンクグラントが受信されなかったことを示し、
前記第２の状態が、前記第２段階ダウンリンクグラントが受信されたことを示し、および、
前記第３の状態が、ダウンリンクデータが成功裏に復号されなかったことを示す、
に対応する、請求項１に記載の方法。
【請求項１１】
前記ＵＥが前記第１段階アップリンクグラントを受信したという決定、および、ここにおいて、前記フィードバック指示は、前記第１段階ダウンリンクグラントによって許可されたリソースを通じての送信に関するＡＣＫメッセージを含む、は、
前記第１の状態が、前記第１段階ダウンリンクグラントが前記ＵＥによって受信されたことを示し、および、
前記第２の状態が、前記第２段階ダウンリンクグラントが受信されなかったことを示す、
に対応する、請求項１に記載の方法。
【請求項１２】
前記ＵＥが前記第１段階アップリンクグラントを受信したという決定、および、ここにおいて、前記フィードバック指示は、前記第１段階アップリンクグラントによって許可されたリソースを通じての送信に関するＡＣＫメッセージを含む、は、
前記第１の状態が、前記第１段階ダウンリンクグラントが受信されたことを示し、
前記第２の状態が、前記第２段階ダウンリンクグラントが受信されたことを示し、および、
前記第３の状態は、ダウンリンクデータが成功裏に復号されたことを示す、
に対応する、請求項１に記載の方法。
【請求項１３】
前記ＵＥが前記第１段階アップリンクグラントを受信したという決定、および、ここにおいて、前記フィードバック指示は、前記第１段階ダウンリンクグラントによって許可されたリソースを通じての送信に関するＡＣＫメッセージを含む、は、
前記第１の状態が、前記第１段階ダウンリンクグラントが受信されたことを示し、
前記第２の状態が、前記第２段階ダウンリンクグラントが受信されたことを示し、および、
前記第３の状態が、ダウンリンクデータが成功裏に復号されなかったことを示す、
に対応する、請求項１に記載の方法。
【請求項１４】
前記第１段階ダウンリンクグラントは、前記ＵＥに、変調コーディング方式（ＭＣＳ）パラメータ、プリコーディングパラメータ、または電力制御パラメータのうちの少なくとも１つを割り当てる、
請求項１に記載の方法。
【請求項１５】
前記第２段階ダウンリンクグラントは、前記ＵＥに帯域幅リソースを割り当てる、
請求項１に記載の方法。
【請求項１６】
信号に関して前記モニタリングすること、または１つのサブフレーム未満の送信時間間隔（ＴＴＩ）で前記ネットワークエンティティに前記フィードバック指示を前記送信することのうちの少なくとも１つを実行することをさらに備える、
請求項１に記載の方法。
【請求項１７】
ユーザ機器（ＵＥ）によって受信されたダウンリンク通信に関するフィードバックを提供するためのコンピュータ実行可能コードを格納する非一時的コンピュータ可読媒体であって、
１つまたは複数のチャネル上でネットワークエンティティからの信号に関してモニタリングするためのコードと、
前記モニタリングに基づいて、前記１つまたは複数のチャネル上で１つまたは複数のグラントが受信されるかどうかおよびＵＥデータが受信されるかどうかを決定するためのコードと、ここにおいて、決定するための前記コードは、
前記ＵＥが前記ネットワークエンティティから第１段階アップリンクグラントを受信したかどうかを決定するためのコードと、
前記ＵＥが前記ネットワークエンティティから第１段階ダウンリンクグラントを受信したかどうかに基づいて第１の状態を決定するためのコードと、
前記ＵＥが前記ネットワークエンティティから第２段階ダウンリンクグラントを受信したかどうかに基づいて第２の状態を決定するためのコードと、
前記ＵＥが前記ＵＥデータを受信したかどうかおよび前記ＵＥデータが前記ＵＥによって成功裏に復号されるかどうかに基づいて第３の状態を決定するためのコードと、
を備え、
フィードバックルールによりおよび前記１つまたは複数のグラントおよび前記ＵＥデータが受信されるかどうかに基づいて決定されたフィードバック値を有するフィードバック指示を生成するためのコードと、
前記フィードバックルールによりおよび前記１つまたは複数のグラントおよび前記ＵＥデータが受信されるかどうかに基づいて決定されたリソースで前記ネットワークエンティティに前記フィードバック指示を送信するためのコードと、
を備える、コンピュータ可読媒体。
【請求項１８】
ユーザ機器（ＵＥ）によって受信されたダウンリンク通信に関するフィードバックを提供するための装置であって、
１つまたは複数のチャネル上でネットワークエンティティからの信号に関してモニタリングするための手段と、
前記モニタリングに基づいて、前記１つまたは複数のチャネル上で１つまたは複数のグラントが受信されるかどうかおよびＵＥデータが受信されるかどうかを決定するための手段と、ここにおいて、決定するための前記手段は、
前記ＵＥが前記ネットワークエンティティから第１段階アップリンクグラントを受信したかどうかを決定するための手段と、
前記ＵＥが前記ネットワークエンティティから第１段階ダウンリンクグラントを受信したかどうかに基づいて第１の状態を決定するための手段と、
前記ＵＥが前記ネットワークエンティティから第２段階ダウンリンクグラントを受信したかどうかに基づいて第２の状態を決定するための手段と、
前記ＵＥが前記ＵＥデータを受信したかどうかおよび前記ＵＥデータが前記ＵＥによって成功裏に復号されるかどうかに基づいて第３の状態を決定するための手段と、
を備え、
フィードバックルールによりおよび前記１つまたは複数のグラントおよび前記ＵＥデータが受信されるかどうかに基づいて決定されたフィードバック値を有するフィードバック指示を生成するための手段と、
前記フィードバックルールによりおよび前記１つまたは複数のグラントおよび前記ＵＥデータが受信されるかどうかに基づいて決定されたリソースで前記ネットワークエンティティに前記フィードバック指示を送信するための手段と、
を備える、装置。
【請求項１９】
ユーザ機器（ＵＥ）によって受信されたダウンリンク通信に関するフィードバックを提供するための装置であって、
１つまたは複数のチャネル上でネットワークエンティティからの信号を受信するように構成されたトランシーバと、
前記トランシーバと通信状態にあるプロセッサと、ここにおいて、前記プロセッサは、
前記１つまたは複数のチャネル上で前記ネットワークエンティティからの前記信号に関してモニタリングするための命令と、
前記モニタリングに基づいて、前記１つまたは複数のチャネル上で１つまたは複数のグラントが受信されるかどうかおよびＵＥデータが受信されるかどうかを決定するための命令と、ここにおいて、決定するための前記命令は、
前記ＵＥが前記ネットワークエンティティから第１段階アップリンクグラントを受信したかどうかを決定するための命令と、
前記ＵＥが前記ネットワークエンティティから第１段階ダウンリンクグラントを受信したかどうかに基づいて第１の状態を決定するための命令と、
前記ＵＥが前記ネットワークエンティティから第２段階ダウンリンクグラントを受信したかどうかに基づいて第２の状態を決定するための命令と、
前記ＵＥが前記ＵＥデータを受信したかどうかおよび前記ＵＥデータが前記ＵＥによって成功裏に復号されるかどうかに基づいて第３の状態を決定するための命令と、
を備え、
フィードバックルールによりおよび前記１つまたは複数のグラントおよび前記ＵＥデータが受信されるかどうかに基づいて決定されたフィードバック値を有するフィードバック指示を生成するための命令と、
前記トランシーバを介して、前記フィードバックルールによりおよび前記１つまたは複数のグラントおよび前記ＵＥデータが受信されるかどうかに基づいて決定されたリソースで前記ネットワークエンティティに前記フィードバック指示を送信するための命令と
を実行するように構成され、
前記実行可能な命令と、前記フィードバック指示または前記フィードバック値のうちの少なくとも１つとを格納するために前記プロセッサに通信可能に結合されたメモリと、
を備える、装置。
【請求項２０】
前記ＵＥが前記ネットワークエンティティから前記第１段階アップリンクグラントを受信しなかったという決定、および、ここにおいて、前記フィードバック指示は、不連続的送信（ＤＴＸ）信号を含む、は、
前記第１の状態が、前記第１段階ダウンリンクグラントが受信されなかったことを示し、および、
前記第２の状態が、前記第２段階ダウンリンクグラントが受信されなかったことを示す、
に対応する、請求項１９に記載の装置。
【請求項２１】
前記ＵＥが前記ネットワークエンティティから前記第１段階アップリンクグラントを受信しなかったという決定、および、ここにおいて、前記フィードバック指示は、前記第２段階ダウンリンクグラントによって許可されたリソースを通じての送信に関する肯定応答（ＡＣＫ）メッセージを含む、は、
前記第１の状態が、前記第１段階ダウンリンクグラントが受信されなかったことを示し、
前記第２の状態が、前記第２段階ダウンリンクグラントが受信されたことを示し、および、
前記第３の状態が、ダウンリンクデータが成功裏に復号されたことを示す、
に対応する、請求項１９に記載の装置。
【請求項２２】
前記ＵＥが前記ネットワークエンティティから前記第１段階アップリンクグラントを受信しなかったという決定、および、ここにおいて、前記フィードバック指示は、不連続的送信（ＤＴＸ）信号を含み、
前記第１の状態が、前記第１段階ダウンリンクグラントが受信されなかったことを示し、
前記第２の状態が、前記第２段階ダウンリンクグラントが受信されたことを示し、および、
前記第３の状態が、ダウンリンクデータが成功裏に復号されなかったことを示す、
に対応する、請求項１９に記載の装置。
【請求項２３】
前記ＵＥが前記ネットワークエンティティから前記第１段階アップリンクグラントを受信しなかったという決定、および、ここにおいて、前記フィードバック指示は、前記第１段階ダウンリンクグラントによって許可されたリソースを通じての送信に関する否定応答（ＮＡＣＫ）メッセージを含む、は、
前記第１の状態が、前記第１段階ダウンリンクグラントが受信されたことを示し、
前記第２の状態が、前記第２段階ダウンリンクグラントが受信されなかったことを示し、および、
前記第３の状態が、ダウンリンクデータが受信されなかったことを示す、
に対応する、請求項１９に記載の装置。
【請求項２４】
前記ＵＥが前記ネットワークエンティティから前記第１段階アップリンクグラントを受信しなかったという決定、および、ここにおいて、前記フィードバック指示は、前記第２段階ダウンリンクグラントによって許可されたリソースを通じての送信に関する肯定応答（ＡＣＫ）メッセージを含む、は、
前記第１の状態が、前記第１段階ダウンリンクグラントが受信されたことを示し、
前記第２の状態が、前記第２段階ダウンリンクグラントが受信されたことを示し、および、
前記第３の状態が、ダウンリンクデータが成功裏に復号されたことを示す、
に対応する、請求項１９に記載の装置。
【請求項２５】
前記ＵＥが前記ネットワークエンティティから前記第１段階アップリンクグラントを受信しなかったという決定、および、ここにおいて、前記フィードバック指示は、前記第１段階ダウンリンクグラントによって許可されたリソースを通じての送信に関する否定応答（ＮＡＣＫ）メッセージを含む、は、
前記第１の状態が、前記第１段階ダウンリンクグラントが受信されたことを示し、
前記第２の状態が、前記第２段階ダウンリンクグラントが受信されたことを示し、および、
前記第３の状態が、ダウンリンクデータが成功裏に復号されなかったことを示す、
に対応する、請求項１９に記載の装置。
【請求項２６】
前記ＵＥが前記第１段階アップリンクグラントを受信したという決定、および、ここにおいて、前記フィードバック指示は、前記第１段階アップリンクグラントによって許可されたリソースを通じての送信に関するＮＡＣＫメッセージを含む、は、
前記第１の状態が、前記第１段階ダウンリンクグラントが受信されなかったことを示し、および、
前記第２の状態が、前記第２段階ダウンリンクグラントが受信されなかったことを示す、
に対応する、請求項１９に記載の装置。
【手続補正２】
【補正対象書類名】明細書
【補正対象項目名】０１０３
【補正方法】変更
【補正の内容】
【０１０３】
[00117]１つまたは複数の態様において、説明される機能は、ハードウェア、ソフトウェア、ファームウェア、またはそれらの任意の組み合わせ内に実装され得る。ソフトウェア内に実装される場合は、これらの機能は、コンピュータ可読媒体上において格納されまたは１つまたは複数の命令またはコードとして送信され得る。コンピュータ可読媒体は、コンピュータ記憶媒体と、コンピュータ記憶媒体と、１カ所から別へのコンピュータプログラムの転送を容易にするいずれかの媒体を含む通信媒体と、の両方を含む。記憶媒体は、コンピュータによってアクセスされることができる任意の利用可能な媒体であり得る。例として、および限定することなしに、そのようなコンピュータ可読媒体は、ＲＡＭ、ＲＯＭ、ＥＥＰＲＯＭ、ＣＤ−ＲＯＭまたは他の光学ディスクストレージ、磁気ディスクストレージまたは他の磁気記憶デバイス、または、希望されるプログラムコードを命令またはデータ構造の形態で搬送または格納するために使用されることができおよびコンピュータによってアクセスされることができる任意の他の媒体、を備えることができる。さらに、いずれの接続も、コンピュータ可読媒体と呼ばれ得る。例えば、ソフトウェアが、同軸ケーブル、光ファイバケーブル、より対線、デジタル加入者ライン（ＤＳＬ）、または、赤外線、無線、およびマイクロ波のような無線技術を使用してウェブサイト、サーバ、または他の遠隔ソースから送信される場合、同軸ケーブル、光ファイバケーブル、より対線、ＤＳＬ、または、赤外線、無線、およびマイクロ波のような無線技術は、媒体の定義の中に含まれる。本明細書において用いられるときのディスク（ｄｉｓｋおよびｄｉｓｃ）は、コンパクトディスク（ＣＤ）（ｄｉｓｃ）と、レーザーディスク（ｄｉｓｃ）と、光ディスク（ｄｉｓｃ）と、デジタルバーサタイルディスク（ＤＶＤ）（ｄｉｓｃ）と、フロッピーディスク（ｄｉｓｋ）と、ブルーレイディスク（ｄｉｓｃ）と、を含み、ここで、ｄｉｓｋは通常は磁気的にデータを再生し、ｄｉｓｃは、レーザを用いて光学的にデータを再生する。上記の組み合わせも、コンピュータ可読媒体の適用範囲内に含められるべきである。
[00118]上記の開示は、例示的な態様および／または実施形態について論じる一方で、本明細書では、添付される請求項によって定義されるように説明される態様および／または実施形態の適用範囲から逸脱することなしに様々な変更および修正が行われることができるが注記されるべきである。さらに、説明される態様および／または実施形態の要素は、単数形で説明または請求され得るが、単数形への限定が明示されていないかぎり複数形が企図される。さらに、任意の態様および／または実施形態の全体または一部は、別の記載がないかぎり、任意の他の態様および／または実施形態の全体または一部とともに利用され得る。
以下に本願の出願当初の特許請求の範囲に記載された発明を付記する。
［Ｃ１］
ユーザ機器（ＵＥ）によって受信されたダウンリンク通信に関するフィードバックを提供する方法であって、
１つまたは複数のチャネル上でネットワークエンティティからの信号に関してモニタリングすることと、
前記モニタリングに基づいて、前記１つまたは複数のチャネル上で１つまたは複数のグラントが受信されるかどうかおよびＵＥデータが受信されるかどうかを決定することと、
フィードバックルールによりおよび前記１つまたは複数のグラントおよび前記ＵＥデータが受信されるかどうかに基づいて決定されたフィードバック値を有するフィードバック指示を生成することと、
前記フィードバックルールによりおよび前記１つまたは複数のグラントおよび前記ＵＥデータが受信されるかどうかに基づいて決定されたリソースで前記ネットワークエンティティに前記フィードバック指示を送信することと、を備える、方法。
［Ｃ２］
前記１つまたは複数のグラントが受信されるかどうかおよびＵＥデータが受信されるかどうかを決定することは、
前記ＵＥが前記ネットワークエンティティから第１段階アップリンクグラントを受信したかどうかを決定することと、
前記ＵＥが前記ネットワークエンティティから第１段階ダウンリンクグラントを受信したかどうかに基づいて第１の状態を決定することと、
前記ＵＥが前記ネットワークエンティティから第２段階ダウンリンクグラントを受信したかどうかに基づいて第２の状態を決定することと、
前記ＵＥが前記ＵＥデータを受信したかどうかおよび前記ＵＥデータが前記ＵＥによって成功裏に復号されるかどうかに基づいて第３の状態を決定することと、を含む、
Ｃ１に記載の方法。
［Ｃ３］
前記ＵＥが前記ネットワークエンティティから前記第１段階アップリンクグラントを受信しなかったという決定、および、ここにおいて、前記フィードバック指示は、不連続的送信（ＤＴＸ）信号を含み、
前記第１の状態は、前記第１段階ダウンリンクグラントが受信されなかったことを示し、および、
前記第２の状態は、前記第２段階ダウンリンクグラントが受信されなかったことを示す、
Ｃ２に記載の方法。
［Ｃ４］
前記ＵＥが前記ネットワークエンティティから前記第１段階アップリンクグラントを受信しなかったという決定、および、ここにおいて、前記フィードバック指示は、前記第２段階ダウンリンクグラントによって許可されたリソースを通じての送信に関する肯定応答（ＡＣＫ）メッセージを含み、
前記第１の状態は、前記第１段階ダウンリンクグラントが受信されなかったことを示し、
前記第２の状態は、前記第２段階ダウンリンクグラントが受信されたことを示し、および、
前記第３の状態は、ダウンリンクデータが成功裏に復号されたことを示す、
Ｃ２に記載の方法。
［Ｃ５］
前記ＵＥが前記ネットワークエンティティから前記第１段階アップリンクグラントを受信しなかったという決定、および、ここにおいて、前記フィードバック指示は、不連続的送信（ＤＴＸ）信号を含み、
前記第１の状態は、前記第１段階ダウンリンクグラントが受信されなかったことを示し、
前記第２の状態は、前記第２段階ダウンリンクグラントが受信されたことを示し、および、
前記第３の状態は、ダウンリンクデータが成功裏に復号されなかったことを示す、
Ｃ２に記載の方法。
［Ｃ６］
前記ＵＥが前記ネットワークエンティティから前記第１段階アップリンクグラントを受信しなかったという決定、および、ここにおいて、前記フィードバック指示は、前記第１段階ダウンリンクグラントによって許可されたリソースを通じての送信に関する否定応答（ＮＡＣＫ）メッセージを含み、
前記第１の状態は、前記第１段階ダウンリンクグラントが受信されたことを示し、
前記第２の状態は、前記第２段階ダウンリンクグラントが受信されなかったことを示し、および、
前記第３の状態は、ダウンリンクデータが受信されなかったことを示す、
Ｃ２に記載の方法。
［Ｃ７］
前記ＵＥが前記ネットワークエンティティから前記第１段階アップリンクグラントを受信しなかったという決定、および、ここにおいて、前記フィードバック指示は、前記第２段階ダウンリンクグラントによって許可されたリソースを通じての送信に関する肯定応答（ＡＣＫ）メッセージを含み、
前記第１の状態は、前記第１段階ダウンリンクグラントが受信されたことを示し、
前記第２の状態は、前記第２段階ダウンリンクグラントが受信されたことを示し、および、
前記第３の状態は、ダウンリンクデータが成功裏に復号されたことを示す、
Ｃ２に記載の方法。
［Ｃ８］
前記ＵＥが前記ネットワークエンティティから前記第１段階アップリンクグラントを受信しなかったという決定、および、ここにおいて、前記フィードバック指示は、前記第１段階ダウンリンクグラントによって許可されたリソースを通じての送信に関する否定応答（ＮＡＣＫ）メッセージを含み、
前記第１の状態は、前記第１段階ダウンリンクグラントが受信されたことを示し、
前記第２の状態は、前記第２段階ダウンリンクグラントが受信されたことを示し、および、
前記第３の状態は、ダウンリンクデータが成功裏に復号されなかったことを示す、
Ｃ２に記載の方法。
［Ｃ９］
前記ＵＥが前記第１段階アップリンクグラントを受信したという決定、および、ここにおいて、前記フィードバック指示は、前記第１段階アップリンクグラントによって許可されたリソースを通じての送信に関するＮＡＣＫメッセージを含み、
前記第１の状態は、前記第１段階ダウンリンクグラントが受信されなかったことを示し、および、
前記第２の状態は、前記第２段階ダウンリンクグラントが受信されなかったことを示す、
Ｃ２に記載の方法。
［Ｃ１０］
前記ＵＥが前記第１段階アップリンクグラントを受信したという決定、および、ここにおいて、前記フィードバック指示は、前記第１段階アップリンクグラントによって許可されたリソースを通じての送信に関するＡＣＫメッセージを含み、
前記第１の状態は、前記第１段階ダウンリンクグラントが受信されなかったことを示し、
前記第２の状態は、前記第２段階ダウンリンクグラントが受信されたことを示し、および、
前記第３の状態は、ダウンリンクデータが成功裏に復号されたことを示す、
Ｃ２に記載の方法。
［Ｃ１１］
前記ＵＥが前記第１段階アップリンクグラントを受信したという決定、および、ここにおいて、前記フィードバック指示は、前記第１段階アップリンクグラントによって許可されたリソースを通じての送信に関するＮＡＣＫメッセージを含み、
前記第１の状態は、前記第１段階ダウンリンクグラントが受信されなかったことを示し、
前記第２の状態は、前記第２段階ダウンリンクグラントが受信されたことを示し、および、
前記第３の状態は、ダウンリンクデータが成功裏に復号されなかったことを示す、
Ｃ２に記載の方法。
［Ｃ１２］
前記ＵＥが前記第１段階アップリンクグラントを受信したという決定、および、ここにおいて、前記フィードバック指示は、前記第１段階アップリンクグラントによって許可されたリソースを通じての送信に関するＡＣＫメッセージを含み、
前記第１の状態は、前記第１段階ダウンリンクグラントが前記ＵＥによって受信されたことを示し、および、
前記第２の状態は、前記第２段階ダウンリンクグラントが受信されなかったことを示す、
Ｃ２に記載の方法。
［Ｃ１３］
前記ＵＥが前記第１段階アップリンクグラントを受信したという決定、および、ここにおいて、前記フィードバック指示は、前記第１段階アップリンクグラントによって許可されたリソースを通じての送信に関するＡＣＫメッセージを含み、
前記第１の状態は、前記第１段階ダウンリンクグラントが受信されたことを示し、
前記第２の状態は、前記第２段階ダウンリンクグラントが受信されたことを示し、および、
前記第３の状態は、ダウンリンクデータが成功裏に復号されたことを示す、
Ｃ２に記載の方法。
［Ｃ１４］
前記ＵＥが前記第１段階アップリンクグラントを受信したという決定、および、ここにおいて、前記フィードバック指示は、前記第１段階アップリンクグラントによって許可されたリソースを通じての送信に関するＡＣＫメッセージを含み、
前記第１の状態は、前記第１段階ダウンリンクグラントが受信されたことを示し、
前記第２の状態は、前記第２段階ダウンリンクグラントが受信されたことを示し、および、
前記第３の状態は、ダウンリンクデータが成功裏に復号されなかったことを示す、
Ｃ２に記載の方法。
［Ｃ１５］
前記１つまたは複数のグラントは、前記ＵＥに変調コーディング方式（ＭＣＳ）パラメータ、プリコーディングパラメータ、または電力制御パラメータのうちの１つまたは複数を割り当てる第１段階ダウンリンクグラントを含む、
Ｃ１に記載の方法。
［Ｃ１６］
前記１つまたは複数のグラントは、前記ＵＥに帯域幅リソースを割り当てる第２段階ダウンリンクグラントを含む、
Ｃ１に記載の方法。
［Ｃ１７］
前記信号に関して前記モニタリングすることまたは１つのサブフレーム未満の送信時間間隔（ＴＴＩ）で前記ネットワークエンティティに前記フィードバック指示を前記送信することのうちの少なくとも１つを実行することをさらに備える、
Ｃ１に記載の方法。
［Ｃ１８］
ユーザ機器（ＵＥ）によって受信されたダウンリンク通信に関するフィードバックを提供するためのコンピュータ実行可能コードを格納するコンピュータ可読媒体であって、
１つまたは複数のチャネル上でネットワークエンティティからの信号に関してモニタリングするためのコードと、
前記モニタリングに基づいて、前記１つまたは複数のチャネル上で１つまたは複数のグラントが受信されるかどうかおよびＵＥデータが受信されるかどうかを決定するためのコードと、
フィードバックルールによりおよび前記１つまたは複数のグラントおよび前記ＵＥデータが受信されるかどうかに基づいて決定されたフィードバック値を有するフィードバック指示を生成するためのコードと、
前記フィードバックルールによりおよび前記１つまたは複数のグラントおよび前記ＵＥデータが受信されるかどうかに基づいて決定されたリソースで前記ネットワークエンティティに前記フィードバック指示を送信するためのコードと、を備える、
コンピュータ可読媒体。
［Ｃ１９］
ユーザ機器（ＵＥ）によって受信されたダウンリンク通信に関するフィードバックを提供するための装置であって、
１つまたは複数のチャネル上でネットワークエンティティからの信号に関してモニタリングするための手段と、
前記モニタリングに基づいて、前記１つまたは複数のチャネル上で１つまたは複数のグラントが受信されるかどうかおよびＵＥデータが受信されるかどうかを決定するための手段と、
フィードバックルールによりおよび前記１つまたは複数のグラントおよび前記ＵＥデータが受信されるかどうかに基づいて決定されたフィードバック値を有するフィードバック指示を生成するための手段と、
前記フィードバックルールによりおよび前記１つまたは複数のグラントおよび前記ＵＥデータが受信されるかどうかに基づいて決定されたリソースで前記ネットワークエンティティに前記フィードバック指示を送信するための手段と、を備える、装置。
［Ｃ２０］
ユーザ機器（ＵＥ）によって受信されたダウンリンク通信に関するフィードバックを提供するための装置であって、
１つまたは複数のチャネル上でネットワークエンティティからの信号を受信するように構成されたトランシーバと、
前記トランシーバと通信状態にあるプロセッサ、前記プロセッサは、
前記１つまたは複数のチャネル上で前記ネットワークエンティティからの前記信号に関してモニタリングし、
前記モニタリングに基づいて、前記１つまたは複数のチャネル上で１つまたは複数のグラントが受信されるかどうかおよびＵＥデータが受信されるかどうかを決定し、
フィードバックルールによりおよび前記１つまたは複数のグラントおよび前記ＵＥデータが受信されるかどうかに基づいて決定されたフィードバック値を有するフィードバック指示を生成し、および、
前記フィードバックルールによりおよび前記１つまたは複数のグラントおよび前記ＵＥデータが受信されるかどうかに基づいて決定されたリソースで前記ネットワークエンティティに前記フィードバック指示を送信するように構成される、と、
前記フィードバック指示および前記フィードバック値を格納するために前記プロセッサに結合されたメモリと、を備える、装置。
［Ｃ２１］
前記プロセッサは、
前記ＵＥが前記ネットワークエンティティから第１段階アップリンクグラントを受信したかどうかを決定し、
前記ＵＥが前記ネットワークエンティティから第１段階ダウンリンクグラントを受信したかどうかに基づいて第１の状態を決定し、
前記ＵＥが前記ネットワークエンティティから第２段階ダウンリンクグラントを受信したかどうかに基づいて第２の状態を決定し、および、
前記ＵＥが前記ＵＥデータを受信したかどうかおよび前記ＵＥデータが前記ＵＥによって成功裏に復号されるかどうかに基づいて第３の状態を決定するようにさらに構成される、
Ｃ２０に記載の装置。
［Ｃ２２］
前記ＵＥが前記ネットワークエンティティから前記第１段階アップリンクグラントを受信しなかったという決定、および、ここにおいて、前記フィードバック指示は、不連続的送信（ＤＴＸ）信号を含み、
前記第１の状態は、前記第１段階ダウンリンクグラントが受信されなかったことを示し、および、
前記第２の状態は、前記第２段階ダウンリンクグラントが受信されなかったことを示す、
Ｃ２１に記載の装置。
［Ｃ２３］
前記ＵＥが前記ネットワークエンティティから前記第１段階アップリンクグラントを受信しなかったという決定、および、ここにおいて、前記フィードバック指示は、前記第２段階ダウンリンクグラントによって許可されたリソースを通じての送信に関する肯定応答（ＡＣＫ）メッセージを含み、
前記第１の状態は、前記第１段階ダウンリンクグラントが受信されなかったことを示し、
前記第２の状態は、前記第２段階ダウンリンクグラントが受信されたことを示し、および、
前記第３の状態は、ダウンリンクデータが成功裏に復号されたことを示す、
Ｃ２１に記載の装置。
［Ｃ２４］
前記ＵＥが前記ネットワークエンティティから前記第１段階アップリンクグラントを受信しなかったという決定、および、ここにおいて、前記フィードバック指示は、不連続的送信（ＤＴＸ）信号を含み、
前記第１の状態は、前記第１段階ダウンリンクグラントが受信されなかったことを示し、
前記第２の状態は、前記第２段階ダウンリンクグラントが受信されたことを示し、および、
前記第３の状態は、ダウンリンクデータが成功裏に復号されなかったことを示す、
Ｃ２１に記載の装置。
［Ｃ２５］
前記ＵＥが前記ネットワークエンティティから前記第１段階アップリンクグラントを受信しなかったという決定、および、ここにおいて、前記フィードバック指示は、前記第１段階ダウンリンクグラントによって許可されたリソースを通じての送信に関する否定応答（ＮＡＣＫ）メッセージを含み、
前記第１の状態は、前記第１段階ダウンリンクグラントが受信されたことを示し、
前記第２の状態は、前記第２段階ダウンリンクグラントが受信されなかったことを示し、および、
前記第３の状態は、ダウンリンクデータが受信されなかったことを示す、
Ｃ２１に記載の装置。
［Ｃ２６］
前記ＵＥが前記ネットワークエンティティから前記第１段階アップリンクグラントを受信しなかったという決定、および、ここにおいて、前記フィードバック指示は、前記第２段階ダウンリンクグラントによって許可されたリソースを通じての送信に関する肯定応答（ＡＣＫ）メッセージを含み、
前記第１の状態は、前記第１段階ダウンリンクグラントが受信されたことを示し、
前記第２の状態は、前記第２段階ダウンリンクグラントが受信されたことを示し、および、
前記第３の状態は、ダウンリンクデータが成功裏に復号されたことを示す、
Ｃ２１に記載の装置。
［Ｃ２７］
前記ＵＥが前記ネットワークエンティティから前記第１段階アップリンクグラントを受信しなかったという決定、および、ここにおいて、前記フィードバック指示は、前記第１段階ダウンリンクグラントによって許可されたリソースを通じての送信に関する否定応答（ＮＡＣＫ）メッセージを含み、
前記第１の状態は、前記第１段階ダウンリンクグラントが受信されたことを示し、
前記第２の状態は、前記第２段階ダウンリンクグラントが受信されたことを示し、および、
前記第３の状態は、ダウンリンクデータが成功裏に復号されなかったことを示す、
Ｃ２１に記載の装置。
［Ｃ２８］
前記ＵＥが前記第１段階アップリンクグラントを受信したという決定、および、ここにおいて、前記フィードバック指示は、前記第１段階ダウンリンクグラントによって許可されたリソースを通じての送信に関するＮＡＣＫメッセージを含み、
前記第１の状態は、前記第１段階ダウンリンクグラントが受信されなかったことを示し、および、
前記第２の状態は、前記第２段階ダウンリンクグラントが受信されなかったことを示す、
Ｃ２１に記載の装置。